(57)【要約】【課題】位相調整部の容量を削減すること。【解決手段】本伝送システムは、送信装置１０と受信装置１５と中間装置１４とが、一方向に第１チャネルの信号および第２チャネルの信号を伝送する第１伝送路９１と前記一方向とは反対の他方向に前記第１チャネルの信号および前記第２チャネルの信号を伝送する第２伝送路９２とを介しリング状に接続された伝送システムであって、第１伝送路９１の第１チャネルの信号と第２伝送路９２の第１チャネルの信号との間の位相差を調整する第１位相調整部を備える受信装置１５と、第１伝送路９１の第２チャネルの信号と第２伝送路９２の第２チャネルの信号との間の位相差を調整する第２位相調整部６０を備える中間装置１４と、を具備する。【選択図】図４
2010130152.tif 000002
【特許請求の範囲】
【請求項１】
送信装置と受信装置と中間装置とが、一方向に第１チャネルの信号および第２チャネルの信号を伝送する第１伝送路と前記一方向とは反対の他方向に前記第１チャネルの信号および前記第２チャネルの信号を伝送する第２伝送路とを介しリング状に接続され、前記送信装置から前記受信装置に信号を伝送する伝送システムであって、
前記第１伝送路の前記第１チャネルの信号と前記第２伝送路の前記第１チャネルの信号との間の位相差を調整する第１位相調整部を備える前記受信装置と、
前記第１伝送路の前記第２チャネルの信号と前記第２伝送路の前記第２チャネルの信号との間の位相差を調整する第２位相調整部を備える前記中間装置と、
を具備することを特徴とする伝送システム。
【請求項２】
前記受信装置は、調整された前記第１伝送路の前記第１チャネルの信号と調整された前記第２伝送路の前記第１チャネルの信号のいずれかを選択し出力する第１選択部と、前記第１伝送路の前記第２チャネルの信号を出力し前記第２伝送路の前記第２チャネルの信号を通過させる第１クロスコネクト部と、を備え、
前記中間装置は、調整された前記第１伝送路の前記第２チャネルの信号と調整された前記第２伝送路の前記第２チャネルの信号とのいずれかを選択し前記第１伝送路に出力する第２選択部と、前記第１伝送路の前記第１チャネルの信号および前記第２伝送路の前記第１チャネルの信号を各々通過させる第２クロスコネクト部と、を備えることを特徴とする請求項１記載の伝送システム。
【請求項３】
前記第１位相調整部および前記第２位相調整部の位相差を調整することが可能な各々のチャネル数は、前記第１チャネルと前記第２チャネルとのチャネル数の和より小さいことを特徴とする請求項１または２記載の伝送システム。
【請求項４】
前記中間装置は、複数設けられていることを特徴とする請求項１から３のいずれか一項記載の伝送システム
【請求項５】
前記送信装置は、前記第１伝送路と前記第２伝送路との位相差を調整するための信号を送信し、前記第１位相調整部および前記第２位相調整部は、前記信号に基づき前記位相差を調整することを特徴とする請求項１から４のいずれか一項記載の伝送システム。
【請求項６】
複数の伝送装置が、一方向に第１チャネルの信号および第２チャネルの信号を伝送する第１伝送路と前記一方向とは反対の他方向に前記第１チャネルの信号および前記第２チャネルの信号を伝送する第２伝送路とを介しリング状に接続され、前記送信装置から前記受信装置に信号を伝送する伝送システムの伝送装置であって、
前記第１伝送路の前記第１チャネルの信号と前記第２伝送路の前記第１チャネルの信号との間の位相差、または、前記第１伝送路の前記第２チャネルの信号と前記第２伝送路の前記第２チャネルの信号との間の位相差を調整する位相調整部と、
調整された前記第１伝送路の前記第１チャネルの信号と調整された前記第２伝送路の前記第１チャネルの信号のいずれかを選択し選択した信号を外部へ出力することと、調整された前記第１伝送路の前記第２チャネルの信号と調整された前記第２伝送路の前記第２チャネルの信号のいずれかを選択し選択した信号を前記第２伝送路へ出力することと、のいずれも可能な選択部と、
前記第２伝送路の前記第２チャネルの信号を外部に出力し前記第１伝送路の前記第２チャネルの信号を通過させることと、前記第１伝送路の前記第１チャネルの信号および前記第２伝送路の前記第１チャネルの信号を各々通過させることと、のいずれも可能なクロスコネクト部と、
を具備することを特徴とする伝送装置。
【請求項７】
送信装置と受信装置と中間装置とが、一方向に第１チャネルの信号および第２チャネルの信号を伝送する第１伝送路と前記一方向とは反対の他方向に前記第１チャネルの信号および前記第２チャネルの信号を伝送する第２伝送路とを介しリング状に接続され、前記送信装置から前記受信装置に信号を伝送する伝送システムの制御方法であって、
前記受信装置において、前記第１伝送路の前記第１チャネルの信号と前記第２伝送路の前記第１チャネルの信号との間の位相差を調整するステップと、
前記中間装置において、前記第１伝送路の前記第２チャネルの信号と前記第２伝送路の前記第２チャネルの信号との間の位相差を調整するステップと、
を含むことを特徴とする伝送システムの制御方法。
【請求項８】
前記受信装置において、調整された前記第１伝送路の前記第１チャネルの信号と調整された前記第２伝送路の前記第１チャネルの信号のいずれかを選択し出力するステップと、
前記受信装置において、前記第１伝送路の前記第２チャネルの信号を出力し前記第２伝送路の前記第２チャネルの信号を通過させるステップと、
前記中間装置において、調整された前記第１伝送路の前記第２チャネルの信号と調整された前記第２伝送路の前記第２チャネルの信号とのいずれかを選択し前記第１伝送路に出力するステップと、
前記中間装置において、前記第１伝送路の前記第１チャネルの信号および前記第２伝送路の前記第１チャネルの信号を各々通過させるステップと、
を含むことを特徴とする請求項７記載の伝送システムの制御方法。
【発明の詳細な説明】
【技術分野】
【０００１】
本発明は、伝送システム、伝送装置および伝送システムの制御方法に関する。
【背景技術】
【０００２】
近年、ＳＤＨ（Synchronous Digital Hierarchy）やＳＯＮＥＴ（Synchronous Optical Network）等の多重化伝送システムにおいて、ＵＰＳＲ（Uni-directional path switched ring）やＳＮＣＰ（Subnetwork Connection Protection）等のプロテクション機能が用いられる。
【０００３】
ＵＰＳＲ／ＳＮＣＰにおいては、ＳＤＨ／ＳＯＮＥＴのリング状の伝送路を用い送信装置から受信装置にデータを伝送する際に、リング状の伝送路の一方向（例えば右回り）と反対方向（例えば左方向）との２つの経路を設定する。リング状の伝送路は複数のパスを設定することができる。複数のパスのうち一部のパスは一方向の経路に設定し、他の一部は他方向の経路に設定する。例えば一方向の経路の途中で、障害が発生したり保守を行う際は、上記一部のパスを他方向の経路に切り替える。これにより、伝送経路の信頼性を向上させることができる。
【０００４】
上記一部のパスを一方向の経路から他方向の経路に切り替える際に、２つの経路の間に位相差があると、無瞬断で切り替えることができない。そこで、位相差を調整する位相調整部を設けることが知られている（特許文献１および２）。
【特許文献１】特開平８−６５２８２号公報
【特許文献２】特開２００３−３４８０６１号公報
【発明の開示】
【発明が解決しようとする課題】
【０００５】
しかしながら、全てのパスについて無瞬断を実現しようとすると位相調整部の容量が大きくなり、装置が大型化してしまう。
【０００６】
本発明は、上記課題に鑑みなされたものであり、位相調整部の容量を削減することを目的とする。
【課題を解決するための手段】
【０００７】
本伝送システムは、送信装置と受信装置と中間装置とが、一方向に第１チャネルの信号および第２チャネルの信号を伝送する第１伝送路と前記一方向とは反対の他方向に前記第１チャネルの信号および前記第２チャネルの信号を伝送する第２伝送路とを介しリング状に接続され、前記送信装置から前記受信装置に信号を伝送する伝送システムであって、前記第１伝送路の前記第１チャネルの信号と前記第２伝送路の前記第１チャネルの信号との間の位相差を調整する第１位相調整部を備える前記受信装置と、前記第１伝送路の前記第２チャネルの信号と前記第２伝送路の前記第２チャネルの信号との間の位相差を調整する第２位相調整部を備える前記中間装置と、を具備する。
【０００８】
本伝送装置は、複数の伝送装置が、一方向に第１チャネルの信号および第２チャネルの信号を伝送する第１伝送路と前記一方向とは反対の他方向に前記第１チャネルの信号および前記第２チャネルの信号を伝送する第２伝送路とを介しリング状に接続され、前記送信装置から前記受信装置に信号を伝送する伝送システムの伝送装置であって、前記第１伝送路の前記第１チャネルの信号と前記第２伝送路の前記第１チャネルの信号との間の位相差、または、前記第１伝送路の前記第２チャネルの信号と前記第２伝送路の前記第２チャネルの信号との間の位相差を調整する位相調整部と、調整された前記第１伝送路の前記第１チャネルの信号と調整された前記第２伝送路の前記第１チャネルの信号のいずれかを選択し選択した信号を外部へ出力することと、調整された前記第１伝送路の前記第２チャネルの信号と調整された前記第２伝送路の前記第２チャネルの信号のいずれかを選択し選択した信号を前記第２伝送路へ出力することと、のいずれも可能な選択部と、前記第２伝送路の前記第２チャネルの信号を外部に出力し前記第１伝送路の前記第２チャネルの信号を通過させることと、前記第１伝送路の前記第１チャネルの信号および前記第２伝送路の前記第１チャネルの信号を各々通過させることと、のいずれも可能なクロスコネクト部と、を具備する。
【０００９】
本伝送システムの制御方法は、送信装置と受信装置と中間装置とが、一方向に第１チャネルの信号および第２チャネルの信号を伝送する第１伝送路と前記一方向とは反対の他方向に前記第１チャネルの信号および前記第２チャネルの信号を伝送する第２伝送路とを介しリング状に接続され、前記送信装置から前記受信装置に信号を伝送する伝送システムの制御方法であって、前記受信装置において、前記第１伝送路の前記第１チャネルの信号と前記第２伝送路の前記第１チャネルの信号との間の位相差を調整するステップと、前記中間装置において、前記第１伝送路の前記第２チャネルの信号と前記第２伝送路の前記第２チャネルの信号との間の位相差を調整するステップと、含む。
【発明の効果】
【００１０】
本伝送システム、伝送装置および伝送システムの制御方法によれば、位相調整を受信装置と中間装置に分担することにより、受信装置内の位相調整部の容量を削減し、受信装置の小型化および低コスト化が可能になる。
【発明を実施するための最良の形態】
【００１１】
以下、図面を参照に、本発明の実施例について説明する。
【実施例１】
【００１２】
図１は、実施例１に係る伝送システムの概要を示す図である。図１を参照に、ＳＤＨやＳＯＮＥＴ等の伝送路９０がリング状に形成されている。複数の伝送装置１０〜１９が伝送路９０を介しリング状に接続されている。以下の説明では、複数の伝送装置１０〜１９のうち１つを送信装置１０とし、他の１つを受信装置１５、として説明する。これら以外の伝送装置も送信装置または受信装置として機能することが可能である。伝送路９０は、一方向（右回り方向）にデータを伝送する第１伝送路９１と他方向（一方向とは反対の方向であり左回り方向）に信号を伝送する第２伝送路９２を有している。第１伝送路９１および第２伝送路９２は各々複数のチャネルの信号を伝送可能である。例えば、第１伝送路９１および第２伝送路９２がそれぞれ１０Ｇｂｐｓの伝送路である場合、５２ＭｂｐｓのＶＣ３２のチャネルは１９２チャネル設定することができる。
【００１３】
送信装置１０はクロスコネクト部８０と選択部８２とを備えている。選択部８２は、チャネル毎に送信信号を第１伝送路９１および第２伝送路９２のいずれに送信するかを選択する。クロスコネクト部８０は、チャネル毎に第１伝送路９１および第２伝送路９２の通過または遮断、送信信号の第１伝送路９１および第２伝送路９２への出力を行なうことができる。
【００１４】
受信装置１５は、クロスコネクト部２０（第１クロスコネクト部）、位相調整部３０（第１位相調整部）および選択部４０（第１選択部）を備えている。クロスコネクト部２０は、チャネル毎に第１伝送路９１および第２伝送路９２の通過または遮断、第１伝送路９１および第２伝送路９２の位相調整部３０への接続を行なうことができる。位相調整部３０は２つの信号の位相差を調整することができる。選択部４０はチャネル毎に信号を選択し受信信号として出力することができる。
【００１５】
以上の伝送システムにおいて、表１のように、送信装置１０か受信装置１５へのパスとして第１伝送路９１を用い送信装置１０、伝送装置１９、１８、１７、１６および受信装置１５を経由し受信装置１５で位相調整するパス（ルート１）と、第２伝送路９２を用い送信装置１０、伝送装置１１、１２、１３、１４および受信装置１５を経由し受信装置１５で位相調整するパス（ルート２）を建設する。伝送信号の一部は、第１伝送路９１の一部のチャネルを用いルート１で伝送する。伝送信号の他の一部は、第２伝送路９２の一部のチャネルを用いルート２で伝送する。ルート１とルート２とでは経路が異なるため、信号の時間差が生じる。そこで、位相調整部３０は、ルート１の信号とルート２の信号の位相差を調整する。選択部８２および４０はチャネル毎にルート１またはルート２を選択することができる。
【表１】
2010130152.tif 000003
【００１６】
ルート２において、障害が発生したり、保守を行なう際は、ルート２を用いていたチャネルの信号をルート１で伝送するパスに切り換える。これにより、障害発生や保守の際も送信装置１０から受信装置１５に信号を伝送することができる。位相調整部３０において位相を調整しているため、無瞬断で経路の切り換えを行うことができる。
【００１７】
伝送路９０の全てのチャネルについて無瞬断を補償するためには、伝送路９０のチャネル数分の容量を有する位相調整部３０が必要である。例えば、伝送路９０の容量が１０Ｇｂｐｓ（１９２チャネル）の場合、１０Ｇｂｐｓ（１９２チャネル）の容量を有する位相調整部３０が必要である。しかしながら、容量の大きな位相調整部３０を用いると、受信装置１５等の伝送装置のコストの低減、小型化の妨げになる。一方、５Ｇｂｐｓ（９６チャネル）の容量を有する位相調整部３０を用いると、受信装置１５等の伝送装置のコストの低減、小型化は可能となるが、無瞬断パスは９６チャネルとなる。他の９６チャネルは無瞬断を補償しない通常パスとなる。
【００１８】
上記課題を解決するため、実施例１では、受信装置１５の位相調整部３０の容量は９６チャネル分であり、伝送路９０のチャネル数より小さい。不足している容量は、他の伝送装置（例えば中間装置１４）の位相調整部を用いる。受信装置１５の位相調整部３０を用い位相調整するチャネルの信号を第１チャネルの信号、中間装置１４の位相調整分を用い位相調整するチャネルの信号を第２チャネルの信号とする。
【００１９】
図２は、クロスコネクト部２０周辺のブロック図である。クロスコネクト部２０は、分割化部２２、２８、多重化部２４、２６およびコネクト部２５を備えている。分割化部２２および２８は、それぞれ第１伝送路９１および第２伝送路９２の信号をチャネル毎に分割する。コネクト部２５は、第１伝送路９１および第２伝送路９２の信号をチャネル毎に通過させ、または遮断させることができる。また、第１伝送路９１および第２伝送路９２の信号を、チャネル毎に、位相調整部３０、選択部４０および出力に接続することができる。多重化部２４および２６は、複数のチャネルの信号を多重化し、それぞれ第１伝送路９１および第２伝送路９２に出力する。
【００２０】
コネクト部２５において、分割化部２２で分割化された複数のチャネルの一部第１チャネルの入力が入力Ｉｎ１１、他の一部のチャネルである第２チャネルの入力が入力Ｉｎ１２である。同様に、分割化部２８で分割化された第１チャネルの入力が入力Ｉｎ２１、第２チャネルの入力が入力Ｉｎ２２である。多重化部２６に出力される第１チャネルの出力が出力Ｏｕｔ１１、第２チャネルの出力が出力Ｏｕｔ１２であり、多重化部２４に出力される第１チャネルが出力Ｏｕｔ２１、第２チャネルの出力が出力Ｏｕｔ２２である。位相調整部３０への２つの出力がそれぞれ出力ＯＰ１およびＯＰ２である。出力ＯＰ１およびＯＰ２に対応した位相調整部３０から選択部４０への入力がそれぞれ入力Ｐ１およびＰ２である。入力Ｐ１およびＰ２から選択された信号は、コネクト部２５の入力ＩＰに入力する。位相調整部３０を介さない選択部４０への２つの出力がそれぞれＯＳ１およびＯＳ２である。出力ＯＳ１およびＯＳ２に対応した選択部４０の入力がそれぞれ入力Ｓ１およびＳ２である。入力Ｓ１およびＳ２から選択された信号は、コネクト部２５の入力ＩＳに入力する。送信装置１５の出力が出力Ｏｕｔである。
【００２１】
図３（ａ）は位相調整部３０のブロック図、図３（ｂ）は位相調整部３０に入力および出力するデータのタイムチャートである。図３（ａ）を参照に、位相調整部３０は、制御部３２、調整部３４および３６を備えている。調整部３４および３６は、例えばＲＡＭ（Random Access Memory）等の記憶装置を含んでいる。調整部３４および３６には、クロスコネクト部２０の出力ＯＰ１およびＯＰ２から信号が入力し、選択部４０の入力Ｐ１およびＰ２に信号を出力する。制御部３２は、記憶部３１に記憶された調整すべき位相差に関する情報に基づき、出力ＯＰ１およびＯＰ２の信号の位相差がなくなるように調整部３４および３６にを制御する。
【００２２】
図３（ｂ）を参照に、クロスコネクト部２０の出力ＯＰ１の信号（第１伝送路の信号に対応する）およびＯＰ２の信号（第２伝送路の信号に対応する）には時間差（位相差）が生じている。調整部３４および３６は、それぞれ出力ＯＰ１およびＯＰ２の信号のデータを記憶し、制御部３２が指示する一定時間ｔ１およびｔ２後に信号のデータをそれぞれ入力Ｐ１およびＰ２に出力する。ここで、調整部３４と３６とで、保持する一定時間を異ならせることにより、入力Ｐ１およびＰ２の信号の時間差を小さくすることができる。よって、選択部４０が入力Ｐ１からＰ２に切り換えても、受信装置１５は、位相差なく信号を出力することができる。
【００２３】
図４は、受信装置１５の位相調整部３０を用い位相調整できない第２チャネルを伝送装置のうち中間装置１４の位相調整部６０を用い位相調整する概要を示す図である。中間装置１４は、クロスコネクト部５０（第２クロスコネクト部）、位相調整部６０（第２位相調整部）および選択部７０（第２選択部）を備えている。クロスコネクト部５０、位相調整部６０および選択部７０の構成は、クロスコネクト部２０、位相調整部３０および選択部４０と同じであり説明を省略する。
【００２４】
表２のように、送信装置１０から受信装置１５への第２チャネルのパスとして第１伝送路９１を用い送信装置１０、伝送装置１９、１８、１７、１６、受信装置１５、中間装置１４、受信装置１５を経由し中間装置１４で位相調整するパス（ルート３）と、第２伝送路９２を用い送信装置１０、伝送装置１１、１２、１３、１４および受信装置１５を経由し中間装置１４で位相調整するパス（ルート４）を建設する。
【表２】
2010130152.tif 000004
【００２５】
図１のルート１およびルート２の建設時に、ルート１とルート２の位相差を測定する。位相調整部３０の記憶部３１が位相差に関する情報を記憶する。制御部３２は、測定された位相差に基づき、図３（ｂ）の時間ｔ１およびｔ２を調整部３４および３６に指示する。同様に、図４のルート３およびルート４の建設時に、ルート１とルート２の位相差を測定し、位相調整部６０の記憶部３１が位相差に関する情報を記憶する。
【００２６】
図５は、第２チャネルの通常時のパスを示している。表３のように、送信装置１０から受信装置１５への第２チャネルのパスとして第１伝送路９１を用い送信装置１０、伝送装置１９、１８、１７、１６、受信装置１５を経由するパス（ルート５）と、第２伝送路９２を用い送信装置１０、伝送装置１１、１２、１３、１４および受信装置１５を経由し中間装置１４で位相調整するパス（ルート６）を建設する。
【表３】
2010130152.tif 000005
【００２７】
次に、実施例１に係る伝送システムの動作について説明する。まず、第１チャネルについて説明する。図６（ａ）は、ルート１およびルート２を用い、受信装置１５の位相調整部３０がルート１およびルート２の位相差を調整する第１チャネル（入力Ｉｎ１１、Ｉｎ２１に相当する）のクロスコネクト部２０の接続関係を示す図である。図６（ｂ）はクロスコネクト部５０の接続関係を示す図である。図６（ｃ）は、選択部４０の選択を示す図である。
【００２８】
図１および図６（ａ）より、受信装置１５のクロスコネクト部２０は、入力Ｉｎ１１およびＩｎ２１をそれぞれ出力ＯＰ１およびＯＰ２に接続する。図６（ｂ）より、中間装置１４のクロスコネクト部５０は、入力Ｉｎ１１およびＩｎ２１をそれぞれ出力Ｏｕｔ１１およびＯｕｔ２１に接続する。つまり、第１伝送路９１および第２伝送路９２の第１チャネルの信号を通過させる。図６（ｃ）より、選択部４０は通常時は、入力Ｐ２を選択する。これにより、送信装置１０から受信装置１５への第１チャネルの信号のパスはルート２である。伝送装置１１〜１４の装置または伝送路９０を保守する場合（または障害発生の場合）、選択部４０は、入力Ｐ１を選択する。図６（ａ）のように、クロスコネクト部２０は選択部４０からの入力ＩＰを出力Ｏｕｔに出力する。これにより、送信装置１０から受信装置１５への第１チャネルのパスはルート１となる。第１チャネルの信号のルート２からルート１への切り換えの際、位相調整部３０が位相調整しているため、無瞬断でルートの切り換えが可能となる。
【００２９】
次に、第２チャネルの通常時の動作について説明する。図７は通常時のパスをルート６とした際の概要を示す図である。図８（ａ）、図８（ｂ）、図８（ｃ）および図８（ｄ）は、それぞれ、クロスコネクト部２０、選択部４０、クロスコネクト部５０および選択部７０の選択関係を示している。なお、図７においては簡略化のため選択部７０の出力がクロスコネクト部５０に入力されていないように模式的に図示している。
【００３０】
図７および図８（ａ）のように、受信装置１５のクロスコネクト部２０の第２チャネルの入力Ｉｎ１２およびＩｎ２２はそれぞれ出力ＯＳ１およびＯＳ２に接続される。図８（ｂ）のように、選択部４０は入力Ｓ２を選択する。図８（ａ）のように、選択部４０からの入力ＩＳは出力Ｏｕｔに接続される。これにより、受信装置１５では、第２伝送路９２の第２チャネルの信号が受信装置１５より出力される。図７および図８（ｃ）のように、中間装置１４のクロスコネクト部５０の入力Ｉｎ１２およびＩｎ２２はそれぞれ出力Ｏｕｔ１２およびＯＰ２に接続される。図８（ｄ）のように、選択部７０は入力Ｐ２を選択する。図８（ｃ）のように、選択部７０からの入力ＩＰは出力Ｏｕｔ２２に接続される。これにより、中間装置１４では、第２伝送路９２の第２チャネルの信号が位相調整部６０を介し第２伝送路９２に出力される。
【００３１】
次に、第２チャネルの保守時の動作について説明する。伝送装置１１〜１３または、送信装置１０〜中間装置１４間の伝送路９０において保守作業が必要となった場合、クロスコネクト部２０および５０は、図４のルート３およびルート４を設定する。図９は、保守時のパスをルート３とした際の概要を示す図である。図１０（ａ）、図１０（ｂ）、図１０（ｃ）および図１０（ｄ）は、それぞれ、クロスコネクト部２０、選択部４０、クロスコネクト部５０および選択部７０の選択関係を示している。
【００３２】
図９および図１０（ａ）のように、受信装置１５のクロスコネクト部２０の第２チャネルの入力Ｉｎ１２およびＩｎ２２はそれぞれ出力Ｏｕｔ１２およびＯＳ２に接続される。これにより、第１伝送路９１の第２チャネルの信号は通過する。図１０（ｂ）のように、選択部４０は入力Ｓ２を選択する。図１０（ａ）のように、選択部４０からの入力ＩＳは出力Ｏｕｔに接続される。これにより、受信装置１５では、第２伝送路９２の第２チャネルの信号が受信装置１５より出力される。図９および図１０（ｃ）のように、中間装置１４のクロスコネクト部５０の入力Ｉｎ１２およびＩｎ２２はそれぞれ出力ＯＰ１およびＯＰ２に接続される。図１０（ｄ）のように、選択部７０は入力Ｐ１を選択する。図１０（ｃ）のように、選択部７０からの入力ＩＰは出力Ｏｕｔ２２に接続される。これにより、中間装置１４では、第１伝送路９１の第２チャネルの信号が位相調整部６０を介し第２伝送路９２に出力される。
【００３３】
このように、送信装置１０から受信装置１５への第２チャネルのパスとして、通常はルート６を用いる。保守時には、ルート３に切り換える。第２チャネルの信号のルート６からルート３への切り換えの際、位相調整部６０が位相調整しているため、無瞬断でルートの切り換えが可能となる。
【００３４】
以上のように、実施例１によれば、図１および図９のように、受信装置１５において、位相調整部３０が、第１伝送路９１の第１チャネルの信号と第２伝送路９２の第１チャネルの信号との間の位相差を調整する。中間装置１４において、位相調整部６０が第１伝送路９１の第２チャネルの信号と第２伝送路９２の第２チャネルの信号との間の位相差を調整する。このように、位相調整を受信装置１５と中間装置１４に分担することにより、受信装置１５内の位相調整部３０の容量を削減し、受信装置１５の小型化および低コスト化が可能になる。
【００３５】
さらに、図６（ａ）および図６（ｃ）のように、受信装置１５の選択部４０は、調整された第１伝送路９１の第１チャネルの信号と調整された第２伝送路９２の第１チャネルの信号のいずれかを選択し出力する。図１０（ａ）および図１０（ｂ）のように、クロスコネクト部２０は、第１伝送路９１の第２チャネルの信号を出力し、第２伝送路９２の第２チャネルの信号を通過させる。図６（ｂ）のように、中間装置１４のクロスコネクト部５０は、第１伝送路９１の第１チャネルの信号および第２伝送路９２の第１チャネルの信号を各々通過させる。図１０（ｃ）および図１０（ｄ）のように、選択部７０は、調整された第１伝送路９１の第２チャネルの信号と調整された第２伝送路９２の第２チャネルの信号とのいずれかを選択し第１伝送路９１に出力する。これにより、第１チャネルの位相差を受信装置１５の位相調整部３０で行い、第２チャネルの位相差を中間装置１４の位相調整部６０で行なうことができる。
【００３６】
このような構成により、位相調整部３０および位相調整部６０の位相差を調整することが可能な各々のチャネル数が、第１チャネルと第２チャネルとのチャネル数の和より小さい場合であっても、第１チャネルおよび第２チャネルを用いたパスを無瞬断パスとすることができる。
【００３７】
さらに、受信装置１５である伝送装置は中間装置として機能することができる。伝送装置が受信装置として機能する場合、図６（ａ）および図６（ｃ）のように、選択部４０は、調整された第１伝送路９１の第１チャネルの信号と調整された第２伝送路９２の第１チャネルの信号のいずれかを選択し、選択した信号を外部への出力する。一方、伝送装置が中間装置として機能する場合、図８（ｃ）、図８（ｄ）、図１０（ｃ）および図１０（ｄ）のように、選択部７０は、調整された第１伝送路９１の第２チャネルの信号と調整された第２伝送路９２の第２チャネルの信号のいずれかを選択し選択した信号を第２伝送路９２へ出力する。このように、選択部４０、７０は、選択した信号を第２伝送路９２および外部への出力いずれも可能である。
【００３８】
また、伝送装置が受信装置として機能する場合、クロスコネクト部２０は、図１０（ａ）および図１０（ｂ）のように、第２伝送路９２の第２チャネルの信号を外部に出力し第１伝送路９１の第２チャネルの信号を通過させる。一方、伝送装置が中間装置として機能する場合、図６（ｂ）のように、クロスコネクト部５０は、第１伝送路９１の第１チャネルの信号および第２伝送路９２の第１チャネルの信号を各々通過させる。このように、クロスコネクト部２０、５０は、これらのいずれも可能である。
【実施例２】
【００３９】
実施例２は、伝送装置１８が他の中間装置の例である。図１１のように、伝送装置１８は、クロスコネクト部７２、位相調整部７４および選択部７６を備えている。クロスコネクト部７２、位相調整部７４および選択部７６は、実施例１のクロスコネクト部５０、位相調整部６０および選択部７０と同様に動作する。この構成において、送信装置１０、伝送装置１９、１８、１７、１８および受信装置を経由し他の中間装置１６で位相調整するパス（ルート７）と、送信装置１０、伝送装置１１、１２、１３、１４、受信装置１５、他の中間装置１６および受信装置１５を経由し、他の中間装置１６で位相調整するパス（ルート８）を建設する。これにより、伝送装置１７〜１９または、送信装置１０、伝送装置１９〜１６間の伝送路９０において保守を行なう場合も無瞬断でパスを切り換えることができる。
【００４０】
伝送装置の全てを中間装置１４と同じ構成とすることもできる。これにより、受信装置１５に隣接する伝送装置以外の伝送装置の位相調整部を用い位相調整を行なうことができる。また、３以上の位相調整部において位相調整を行なうこともできる。このように、中間装置は複数設けることができる。
【実施例３】
【００４１】
実施例３は、位相調整部が送信装置が送信した信号に基づき位相差を調整する例である。図１２は、実施例３のブロック図である。図１２のように、送信装置１０はＪ１挿入部８４を備えている。Ｊ１挿入部８４は、第１伝送路９１と第２伝送路９２との位相差を調整するための信号としてオーバーヘッドにＪ１マルチフレームを挿入する。その他の構成は図４と同じであり説明を省略する。
【００４２】
図１３は、位相調整部３０および６０のブロック図である。図１３のように、位相調整部３０は、位相抽出部３３、３５、位相比較部３７および位相差制御部３８を備えている。位相抽出部３３および３５は、それぞれ第１伝送部９１および第２伝送部９２の信号からＪ１マルチフレームを抽出する。位相比較部３７は、位相抽出部３３および３５が抽出した位相を比較する。位相差制御部３８は、位相比較部３７の比較結果から調整部３４および３６が位相を遅らせる時間を決定する。制御部３２は図３（ｂ）のように、第１伝送路９１の信号と第２伝送路９２の信号との位相差を制御する。
【００４３】
実施例３のように、送信装置１０が、第１伝送路９１と第２伝送路９２との位相差を調整するための信号を送信し、位相調整部３０および位相調整部６０は、前記信号に基づき位相差を調整することもできる。なお、Ｊ１マルチフレームを用いた位相調整の方法は、例えば特開２００５−２４４８０６号公報に記載された方法を用いることができる。
【実施例４】
【００４４】
図１４は実施例４のブロック図である。図１４のように、制御装置１００が送信装置１０、受信装置１５、中間装置１４および伝送装置１１〜１３および１６〜１９を制御する。図１５は位相調整部３０および６０のブロック図である。制御部３２は、制御装置１００により制御される。図１のルート１およびルート２の建設時、図４のルート３およびルート４の建設時に、ルート１とルート２の位相差と、ルート３およびルート４の位相差を記憶部１０１に記憶させる。位相調整部３０および６０が位相を調整する際、制御装置１００は、記憶部１０１に記憶された位相差に関する情報を制御部３２に指示する。制御部３２は指示された位相差に関する情報に基づき、調整部３４および３６を制御する。
【００４５】
実施例４のように、位相差に関する情報は、伝送系を制御する制御装置１００が記憶部１０１に記憶させてもよい。
【００４６】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００４７】
【図１】図１は、実施例１に係る伝送システムのブロック図である。
【図２】図２は、受信装置および中間装置のブロック図である。
【図３】図３（ａ）は、位相調整部のブロック図であり、図３（ｂ）は各信号のタイムチャートである。
【図４】図４は、中間装置の位相調整部を用い位相調整する概要を示す図である。
【図５】図５は、第２チャネルの通常時のパスを示す図である。
【図６】図６（ａ）〜図６（ｃ）は、クロスコネクト部および選択部の接続を示す図である。
【図７】図７は、通常時のパスをルート６とした場合の概要を示す図である。
【図８】図８（ａ）〜図８（ｄ）は、クロスコネクト部および選択部の接続を示す図である。
【図９】図９は、保守時のパスをルート３とした場合の概要を示す図である。
【図１０】図１０（ａ）〜図１０（ｄ）は、クロスコネクト部および選択部の接続を示す図である。
【図１１】図１１は、実施例２のシステムの概要を示す図である。
【図１２】図１２は、実施例３のシステムの概要を示す図である。
【図１３】図１３は、実施例３の位相調整部のブロック図である。
【図１４】図１４は、実施例４のシステムの概要を示す図である。
【図１５】図１５は、実施例４の位相調整部のブロック図である。
【符号の説明】
【００４８】
１０                    送信装置
１４                    中間装置
１５                    受信装置
２０、５０、７２、８０  クロスコネクト部
３０、６０、７４        位相調整部
４０、７０、７６、８２  選択部
８４          Ｊ１挿入部
【図１】
2010130152.tif 000006
【図２】
2010130152.tif 000007
【図３】
2010130152.tif 000008
【図４】
2010130152.tif 000009
【図５】
2010130152.tif 000010
【図６】
2010130152.tif 000011
【図７】
2010130152.tif 000012
【図８】
2010130152.tif 000013
【図９】
2010130152.tif 000014
【図１０】
2010130152.tif 000015
【図１１】
2010130152.tif 000016
【図１２】
2010130152.tif 000017
【図１３】
2010130152.tif 000018
【図１４】
2010130152.tif 000019
【図１５】
2010130152.tif 000020